(57)【要約】【課題】解剖学的位置を用いて参照すべき読影レポートの抽出が容易な読影レポート作成装置を提供する。【解決手段】本実施形態に係る読影レポート作成装置は、読影レポートを作成する読影レポート作成装置であって、医用画像を記憶する医用画像記憶部と、前記医用画像と関連付けられた複数の読影レポートを記憶する読影レポート情報記憶部と、前記医用画像を関連付けた前記読影レポートを作成するレポート作成部と、前記レポート作成部で関連付けられた医用画像から、人体の局所構造の解剖学的位置または部位を検出する解剖学的位置検出部と、前記解剖学的位置または部位に基づいて前記読影レポート情報記憶部に記憶された前記読影レポートを検索するレポート検索部と、前記レポート検索部の検索結果を表示する表示部と、備えたことを特徴とする。【選択図】  図２
2015191561.tif 000002
【特許請求の範囲】
【請求項１】
読影レポートを作成する読影レポート作成装置であって、
医用画像を記憶する医用画像記憶部と、
前記医用画像と関連付けられた複数の読影レポートを記憶する読影レポート情報記憶部と、
前記医用画像を関連付けた前記読影レポートを作成するレポート作成部と、
前記レポート作成部で関連付けられた医用画像から、人体の局所構造の解剖学的位置または部位を検出する解剖学的位置検出部と、
前記解剖学的位置または部位に基づいて前記読影レポート情報記憶部に記憶された前記読影レポートを検索するレポート検索部と、
前記レポート検索部の検索結果を表示する表示部と、
を備えたことを特徴とする読影レポート作成装置。
【請求項２】
前記読影レポート情報記憶部に記憶された前記読影レポートを参照レポートとして前記参照レポートに関連付けされた前記医用画像である参照画像から検出された解剖学的位置または部位に基づいて、前記参照レポートを一意に特定するための参照レポートＩＤごとに、前記参照レポートに添付されたキー画像と、前記キー画像の近傍に位置する前記局所構造とを一覧化した参照レポート情報を生成する参照レポート情報生成部と、
前記レポート作成部で新規作成される新規レポートに関連付けされた医用画像である新規画像から検出された解剖学的位置または部位と、前記参照レポート情報とに基づいて、前記新規レポートと前記参照レポートとの一致度を算出する一致度算出部と、
をさらに備え、
前記レポート検索部は、前記一致度に基づいて前記参照レポートを検索すること、
を特徴とする請求項１に記載の読影レポート作成装置。
【請求項３】
前記一致度算出部は、前記局所構造の種類、前記局所構造が属する部位および前記局所構造が属する臓器の少なくともいずれか１つが一致するか否かにより、前記一致度を算出すること、
を特徴とする請求項２に記載の読影レポート作成装置。
【請求項４】
前記一致度算出部は、前記局所構造の種類の割合、前記局所構造が属する部位の割合および前記局所構造が属する臓器の割合の少なくともいずれか１つが一致するか否かにより、前記一致度を算出すること、
を特徴とする請求項２または３に記載の読影レポート作成装置。
【請求項５】
前記一致度算出部は、前記参照レポート情報に含まれる前記参照画像の前記キー画像の近傍に位置する前記局所構造と、前記新規レポートのキー画像の近傍に位置する前記局所構造とが一致するか否かにより、前記一致度を算出すること、
を特徴とする請求項２乃至４のいずれかに記載の読影レポート作成装置。
【請求項６】
前記一致度算出部は、前記参照レポート情報に含まれる前記参照レポートの前記キー画像の近傍に位置する前記局所構造の割合と、前記新規レポートのキー画像の近傍に位置する前記局所構造の割合とが一致するか否かにより、前記一致度を算出すること、
を特徴とする請求項２乃至５のいずれかに記載の読影レポート作成装置。
【請求項７】
前記参照画像から検出された解剖学的位置に基づいて、前記参照レポートのキー画像の近傍に位置する前記解剖学的位置から前記参照レポートのキー画像までの距離、および、前記新規画像から検出された前記解剖学的位置に基づいて、前記新規レポートのキー画像の近傍に位置する解剖学的位置から前記新規レポートのキー画像までの距離を算出する距離算出部をさらに備え、
前記一致度算出部は、前記参照レポートの前記キー画像の近傍に位置する前記解剖学的位置から前記参照レポートのキー画像までの距離と、前記新規レポートの前記キー画像の近傍に位置する前記解剖学的位置から前記新規レポートの前記キー画像までの前記距離とに基づいて、前記一致度を算出すること、
を特徴とする請求項２乃至６のいずれかに記載の読影レポート作成装置。
【請求項８】
前記一致度算出部は、前記一致度の算出方法に応じて重みづけして、総合的な一致度を算出すること、
を特徴とする請求項２乃至７のいずれかに記載の読影レポート作成装置。
【請求項９】
前記レポート検索部は、前記新規画像の前記局所構造から転移または併発の可能性のある前記局所構造を特定し、前記転移または併発の可能性のある前記局所構造に関する参照レポートを検索すること、
を特徴とする請求項１乃至８のいずれかに記載の読影レポート作成装置。
【請求項１０】
前記レポート検索部は、前記新規レポートの読影手順と類似する読影手順で読影された前記参照レポートを検索すること、
を特徴とする請求項１乃至９のいずれかに記載の読影レポート作成装置。
【請求項１１】
前記レポート検索部は、前記参照レポートそれぞれのサムネイルと、前記参照画像それぞれについて検出された前記解剖学的位置を表示した解剖図とを重ね合わせた画像を、検索結果として並べて表示した検索結果表示を生成すること、
を特徴とする請求項１乃至１０のいずれかに記載の読影レポート作成装置。
【請求項１２】
前記解剖学的位置に対応する局所構造に関連する、参考文献、参考図書、医学情報、症例情報を表示を生成する参考情報生成部をさらに備え、
前記表示部は、前記参考情報を表示すること、
を特徴とする請求項１乃至１１のいずれかに記載の読影レポート作成装置。
【請求項１３】
電子ネットワーク上で動作する読影レポートを作成する読影レポート作成システムであって、
医用画像を記憶する医用画像記憶部と、
前記医用画像と関連付けられた複数の読影レポートを記憶する読影レポート情報記憶部と、
前記医用画像を関連付けた前記読影レポートを作成するレポート作成部と、
前記レポート作成部で関連付けられた医用画像から、人体の局所構造の解剖学的位置または部位を検出する解剖学的位置検出部と、
前記解剖学的位置または部位に基づいて前記読影レポート情報記憶部に記憶された読影レポートを検索するレポート検索部と、
前記レポート検索部の検索結果を表示する表示部と、
を備えたことを特徴とする読影レポート作成システム。
【請求項１４】
読影レポートを作成する読影レポート作成プログラムであって、
コンピュータを、
医用画像を記憶する医用画像記憶手段、
前記医用画像と関連付けられた複数の読影レポートを記憶する読影レポート情報記憶手段、
前記医用画像を関連付けた前記読影レポートを作成するレポート作成手段、
前記レポート作成部で関連付けられた医用画像から、人体の局所構造の解剖学的位置または部位を検出する解剖学的位置検出手段、
前記解剖学的位置または部位に基づいて前記読影レポート情報記憶部に記憶された読影レポートを検索するレポート検索手段、
前記レポート検索部の検索結果を表示する表示手段、
として機能させることを特徴とする読影レポート作成プログラム。
【発明の詳細な説明】
【技術分野】
【０００１】
本発明の一態様としての実施形態は、読影レポート作成装置、読影レポート作成システムおよび読影レポート作成プログラムに関する。
【背景技術】
【０００２】
画像診断において使用される各種検査装置（以下、モダリティ装置と呼ぶ）は、低侵襲に体内の検査を行うことができるため、現在の医療において不可欠である。モダリティ装置の高性能化により解像度の高い良質な画像を取得できるようになり、正確かつ精密な検査が画像診断において可能となった。たとえば、Ｘ線ＣＴ（Computed Tomography）装置は、被検体の内部組織の３次元情報を高解像度で取得することができ、ＭＲＩ（Magnetic Resonance Imaging）装置は、造影剤が入っていない新鮮な血液をＭＲＩで画像化する非造影血管撮像法（ＭＲＡ：MR Angiography）など、モダリティ装置ごとに様々な撮像方法がある。また、医用画像のデジタル化が進み、電子ネットワークを介して医師からの検査依頼を処理するオーダリングシステムである病院システム（ＨＩＳ：Hospital Information System）、または放射線科情報システム（ＲＩＳ：Radiology Information System）や、モダリティ装置で取得された画像を電子データとして蓄積する医用画像一元管理システム（ＰＡＣＳ：Picture Archiving and Communication Systems）などが発展してきている。
【０００３】
このように、モダリティ装置の発展により生体内を容易にかつ詳細に観察することが可能となった。一方、取得可能なデータ量は膨大になり、多くのモダリティ装置では、複数の画像から構成されるボリュームデータの形式でデータが取得される。ボリュームデータのデータ量は、全身を撮像した場合数千枚にもおよび、これらのデータを用いて読影を行い、診断を下す読影医等の負担が大きくなっている。読影は病気の診断や、治療方針を決定するために重要な作業であり、早期発見が望まれる中、大量の医用画像を分析し、早期に判断を下すことは容易ではない。そこで、画像診断を支援する発明として、セグメンテーション技術などを用いて解剖学的な部位を特定し、異常のある領域とその悪性度を判定する医用画像処理装置（たとえば、特許文献１等）や、脊椎など周期性を持った構造物により、異なる２つの検査において取得された画像の位置対応関係を決定する画像解析装置（たとえば、特許文献２等）が提供されている。
【０００４】
また、読影および診断には正確性が求められ、質の高い診断を下すためには、取得した医用画像について、異常部位や治療部位を的確に把握する必要がある。しかしながら、解剖学的な部位を医用画像から読み取ることは熟練の技術や知識が必要である。そこで、人体の解剖学的位置を、数学的手法を用いて表現、構築する技術の提供や研究が行われている。
【０００５】
解剖学的位置とは、医用画像を理解するうえで重要な役割を担う人体の特徴的な局所構造の位置ことであり、人体を解剖学的にマッピングする際の目印となる。局所構造には、たとえば、頭部においては、第１頚椎（頚椎Ｉ）の前弓（結節）が、胸部においては気管分岐部が、腹部においては右腎上極等が該当する。この解剖学的位置は、一般的な画像解析、パターン認識技術などにより、Ｘ線ＣＴ装置やＭＲＩ装置などのモダリティ装置で取得した医用画像から自動検出される。
【先行技術文献】
【特許文献】
【０００６】
【特許文献１】特許第５１９７０２９号公報
【特許文献２】特許第５１３８４３１号公報
【発明の概要】
【発明が解決しようとする課題】
【０００７】
上述のように、医用画像診断の電子化により、読影結果をまとめる読影レポートなども電子媒体で蓄積される。読影レポートは、過去に他の読影医が作成した類似の症例や病状について記載されている読影レポートを参照して作成される。このように、過去に作成された読影レポートを参考にすることで、所見の見落としや誤診を防止することができる。また、過去の読影レポートを流用すれば、読影レポートの作成をより効率的に行うことができる。
【０００８】
しかしながら、従来、読影レポートは、モダリティ装置種別や患者名などの限られた情報に基づき検索が実行されるため、検索結果として膨大な量の読影レポートがヒットする。したがって、読影医等は、膨大な量の読影レポートの内容を確かめ、レポート作成対象の検査内容や撮影された解剖学的位置または部位が一致するかどうかを調べながら、参考となる読影レポートを手作業で探す必要があった。
【０００９】
そこで、上述の解剖学的位置を用いて参照すべき読影レポートの抽出が容易な読影レポート作成装置が要望されている。
【課題を解決するための手段】
【００１０】
本実施形態に係る読影レポート作成装置は、読影レポートを作成する読影レポート作成装置であって、医用画像を記憶する医用画像記憶部と、前記医用画像と関連付けられた複数の読影レポートを記憶する読影レポート情報記憶部と、前記医用画像を関連付けた前記読影レポートを作成するレポート作成部と、前記レポート作成部で関連付けられた医用画像から、人体の局所構造の解剖学的位置または部位を検出する解剖学的位置検出部と、前記解剖学的位置または部位に基づいて前記読影レポート情報記憶部に記憶された前記読影レポートを検索するレポート検索部と、前記レポート検索部の検索結果を表示する表示部と、備えたことを特徴とする。
【図面の簡単な説明】
【００１１】
【図１】実施形態に係る読影レポート作成装置の一例を示す概念的な構成図。
【図２】実施形態に係る読影レポート作成装置の機能構成例を示す機能ブロック図。
【図３】実施形態に係る読影レポート作成装置の参照レポート情報を生成する動作の一例を示すフローチャート。
【図４】解剖学的位置の検出方法を説明する図。
【図５】局所構造の種類を説明する図。
【図６】解剖学的位置情報を説明する図。
【図７】実施形態に係る読影レポート作成装置の参照レポートの解剖学的位置テーブルを説明する図。
【図８】実施形態に係る読影レポート作成装置の最近傍ＡＬ距離を説明する図。
【図９】実施形態に係る読影レポート作成装置の参照画像のキー画像テーブルを説明する図。
【図１０】実施形態に係る読影レポート作成装置の参照レポートを検索する動作の一例を示すフローチャート。
【図１１】実施形態に係る読影レポート作成装置の新規画像から検出された解剖学的位置情報を説明する図。
【図１２】実施形態に係る読影レポート作成装置の部位の一致による一致度の計算方法を説明する図。
【図１３】実施形態に係る読影レポート作成装置の部位の割合による一致度の計算方法を説明する図。
【図１４】実施形態に係る読影レポート作成装置の局所構造の種類による一致度の計算方法を説明する図。
【図１５】実施形態に係る読影レポート作成装置の最近傍ＡＬ距離による一致度の計算方法を説明する図。
【図１６】実施形態に係る読影レポート作成装置の表示例を説明する図。
【図１７】実施形態に係る読影レポート作成装置の絞り込み検索の動作の一例を示すフローチャート。
【図１８】実施形態に係る読影レポート作成装置の絞り込み条件を入力する画面の第１表示例を説明する図。
【図１９】実施形態に係る読影レポート作成装置の原発部位ＡＬによる絞込みを説明する図。
【図２０】実施形態に係る読影レポート作成装置の絞り込み条件を入力する画面の第２の表示例を説明する図。
【図２１】実施形態に係る読影レポート作成装置の第２の表示例を説明する図。
【図２２】実施形態に係る読影レポート作成装置の参考情報表示の表示例を説明する図。
【発明を実施するための形態】
【００１２】
以下、読影レポート作成装置の実施の形態について添付図面を参照して説明する。
【００１３】
（１）構成
図１は、実施形態に係る読影レポート作成装置１００の一例を示す概念的な構成図である。図１に示すように、読影レポート作成装置１００は、通信制御装置１０、記憶部２０、主制御部３０、表示部４０、入力部５０を備えた構成である。通信制御装置１０を介して電子ネットワーク経由で医用画像一元管理サーバ２００、モダリティ装置３００、および、ＨＩＳ／ＲＩＳ４００、読影レポートサーバ５００と接続している。通信制御装置１０は、ネットワーク形態に応じた種々の通信プロトコルを実装する。ここで、電子ネットワークとは、電気通信技術を利用した情報通信網全体を意味し、病院基幹ＬＡＮ、無線／有線ＬＡＮやインターネット網のほか、電話通信回線網、光ファイバー通信ネットワーク、ケーブル通信ネットワークおよび衛星通信ネットワークなどを含む。読影レポート作成装置１００は医用画像一元管理サーバ２００または、モダリティ装置３００から検査データを電子ネットワーク経由で取得する。
【００１４】
なお、医用画像一元管理サーバ２００、ＨＩＳ／ＲＩＳ４００、読影レポートサーバ５００、読影レポート作成装置１００は、クラウド上のシステムとして構成されていてもよい。
【００１５】
モダリティ装置３００には、Ｘ線ＣＴ（Computed Tomography）装置、ＭＲＩ（Magnetic Resonance Imaging）装置、ＰＥＴ（Positron Emission Tomography）装置あるいは、超音波診断装置などの各種医用画像撮像装置が含まれる。読影レポート作成装置１００に入力されるデータは複数のスライス画像から構成されたボリュームデータである。
【００１６】
また、読影レポート作成装置１００は、ＨＩＳ／ＲＩＳ４００と接続している。ＨＩＳ／ＲＩＳ４００は、検査オーダと呼ばれる医師等が作成した検査依頼等を処理するシステムである。ＨＩＳ／ＲＩＳ４００からは患者を一意に特定するための患者ＩＤ、または、患者名、患者の性別や体格などの患者情報や、検査種類、検査目的、モダリティ装置種別などの検査情報を電子ネットワーク経由で取得できる。
【００１７】
また、読影レポート作成装置１００は、読影レポートサーバ５００と接続している。読影レポートサーバ５００には、読影医等が作成した読影レポートが格納されている。読影レポートサーバ５００には読影レポートが、検査依頼、所見、医用画像および医用画像の中のキー画像が関連付けされて蓄積されている。たとえば、読影レポートサーバ５００に検査依頼、所見、医用画像および医用画像中のキー画像のデータをまとめて保存されていてもよいし、検査依頼や医用画像を一意に特定するＩＤなどにより、ＨＩＳ／ＲＩＳ４００や医用画像一元管理サーバ２００に蓄積されたデータと関連付けされて保存されていてもよい。
【００１８】
記憶部２０に格納されたプログラムが、主制御部３０によって実行されることで、ボリュームデータへの解剖学的位置情報の付与や読影レポートが作成される際に参照する参照レポートの検索などが行われる。
【００１９】
記憶部２０は、ＲＡＭとＲＯＭをはじめとする記憶媒体などにより構成され、磁気的もしくは光学的記憶媒体または半導体メモリなどの、主制御部３０により読み取り可能な記憶媒体を含んだ構成を有し、これらの記憶媒体内のプログラムおよびデータの一部または全部は電子ネットワークを介してダウンロードされるように構成してもよい。また、読影レポート作成装置１００で行われる解剖学的位置情報の付与は、予め記憶部２０に格納されたプログラムやデータを用いて行われてもよく、通信制御装置１０を介して外部の記憶装置に格納されたデータ等を用いて実行されてもよいし、外部の記憶装置等に格納されたプログラムで実行されてもよい。
【００２０】
表示部４０は、たとえば液晶ディスプレイやＯＬＥＤ（Organic Light Emitting Diode）ディスプレイなどの一般的な表示装置により構成されるほか、主制御部３０の制御に従って画像をディスプレイ表示する。
【００２１】
入力部５０は、たとえばキーボード、タッチパネル、テンキー、マウスなどの一般的な入力装置により構成される。入力部５０はユーザの読影レポートの選択や参照レポートの検索条件の入力などに対応した入力信号を主制御部３０に出力する。
【００２２】
図２は、実施形態に係る読影レポート作成装置１００の機能構成例を示す機能ブロック図である。図２が示すように、読影レポート作成装置１００は、医用画像記憶部２１、読影レポート情報記憶部２３、レポート作成部３１、解剖学的位置検出部３２、参照レポート情報生成部３３、一致度算出部３４、距離算出部３５、レポート検索部３６、参考情報生成部３７、表示部４０、入力部５０を有する。上記構成のうち、レポート作成部３１、解剖学的位置検出部３２、参照レポート情報生成部３３、一致度算出部３４、距離算出部３５、レポート検索部３６、参考情報生成部３７の各機能は記憶部２０に格納されたプログラムを主制御部３０が実行することによって実現される機能である。また、表示部４０は、記憶部２０に格納されたプログラムを主制御部３０が実行することによって実現される機能と表示機能とを有する。
【００２３】
医用画像記憶部２１は、医用画像一元管理サーバ２００やモダリティ装置３００から受信した医用画像データを記憶する。医用画像記憶部２１には複数の医用画像データが記憶される。記憶される医用画像データは、複数のスライス画像から構成されたボリュームデータである。医用画像記憶部２１には、新規作成される読影レポートの作成対象である医用画像データと、読影レポートを新規作成する際に参照する参照レポートに関連付けされた医用画像データとが記憶される。
【００２４】
読影レポート情報記憶部２３は、医用画像と関連付けられた複数の読影レポートを記憶する。
【００２５】
以下、新規作成される読影レポートを「新規レポート」、新規作成される読影レポートの作成対象である医用画像データを、「新規画像データ」と呼ぶこととする。また読影レポートを新規作成する際に参照する読影レポートを、「参照レポート」、参照レポートに関連付けされた医用画像データを、「参照画像データ」と呼ぶこととする。
【００２６】
レポート作成部３１は、医用画像と関連付けた読影レポートを作成する。読影レポートは、検査依頼に基づき取得された医用画像を読影し、発見した異常についてまとめたものである。読影レポートは所見とキー画像から構成され、所見には、異常が確認された解剖学的位置または部位とその異常の態様が記録される。読影レポートにまとめられるキー画像は、１つの医用画像データに含まれる複数の画像の中から、読影の鍵になると読影医によって判断された画像のことであり、１つの医用画像データについて１つまたは複数の画像がキー画像として指定される。レポート作成部３１では、表示部４０に表示された医用画像からキー画像が選択され、所見が入力される。レポート作成部３１で作成された読影レポートは、読影レポート情報記憶部２３や、読影レポートサーバ５００に記憶される。
【００２７】
解剖学的位置検出部３２は、レポート作成部３１で関連付けられた医用画像から解剖学的位置または部位を検出し、検出した解剖学的位置および部位に関する情報（以下、解剖学的位置情報とよぶ）を医用画像データに付与する。なお、医用画像データには、予め解剖学的位置情報が付与されている場合もある。たとえば、医用画像データへの解剖学的位置情報の付与は、モダリティ装置３００で画像が取得されたタイミングで実行されてもよいし、医用画像一元管理サーバ２００に格納するタイミングで実行されてもよい。その場合、解剖学的位置検出部３２での解剖学的位置の検出処理や、解剖学的位置情報の医用画像データへの付与処理は省略できる。解剖学的位置検出部３２における解剖学的位置の検出方法については、後述する。
【００２８】
医用画像データに付与される解剖学的位置情報は、たとえば、ＸＭＬデータやバイナリデータなどのデータ形式で、対応する医用画像データなどと関連付けされた状態で保持されていてもよい。また、医用画像データは、ＤＩＣＯＭ（Digital Imaging and Communication in Medicine）形式に準拠したデータであり、解剖学的位置情報はＤＩＣＯＭ規格における付帯情報として保持されていてもよい。
【００２９】
参照レポート情報生成部３３は、読影レポート情報記憶部２３に記憶された読影レポートを参照レポートとして、参照レポート情報を生成する。参照レポート情報生成部３３は、参照画像から検出された解剖学的位置に基づいて参照レポートごとに参照レポート情報を提供する各種テーブルを生成する。また、生成された各種テーブルは、読影レポート情報記憶部２３に記憶される。参照レポート情報生成部３３での各種テーブルの生成方法については後述する。
【００３０】
一致度算出部３４は、新規レポートと参照レポートとの一致度を、新規画像から検出された解剖学的位置と、参照レポート情報を提供するテーブルに基づいて新規レポートと参照レポートとの一致度を算出する。一致度算出部３４の一致度の算出方法は後述する。
【００３１】
距離算出部３５は、参照画像から検出された解剖学的位置に基づいて、参照レポートのキー画像の近傍に位置する解剖学的位置から参照レポートのキー画像までの距離、および、新規画像から検出された解剖学的位置に基づいて、新規レポートのキー画像の近傍に位置する解剖学的位置から新規レポートのキー画像までの距離を算出する。距離算出部３５の距離の算出方法については後述する。
【００３２】
レポート検索部３６は、解剖学的位置または部位に基づいて前記読影レポート情報記憶部に記憶された読影レポートを検索する。また、一致度算出部３４で算出された一致度に基づいて参照レポートを検索する。レポート検索部３６の参照レポートの検索方法については後述する。
【００３３】
参考情報生成部３７は、解剖学的位置に対応する局所構造に関連する、参考文献、参考図書、医学情報、症例情報などを表示する参考情報表示を生成する。参考情報生成部３７で生成される参考情報表示については後述する。
【００３４】
（２）動作
本実施形態に係る読影レポート作成装置１００では、新しく読影レポートを作成する際に、新規レポートに類似し、新規レポートの作成において参考となる参照レポートの検索が行われる。この参照レポートの検索は、参照画像から検出された解剖学的位置情報に基づいて生成された参照レポート情報を使用して行われる。そこで、まず「参照レポート情報の生成方法」について説明し、次に生成した参照レポート情報を使って「参照レポートを検索する方法」を説明する。さらに、検索結果が表示された後、「検索結果を絞り込む方法」について説明する。
【００３５】
（参照レポート情報の生成方法）
図３は、実施形態に係る読影レポート作成装置の参照レポート情報を生成する動作の一例を示すフローチャートである。
【００３６】
ＳＴ１０１では、読影レポート作成装置１００が医用画像一元管理サーバ２００、モダリティ装置３００または読影レポートサーバ５００などの外部の記憶装置から、参照画像データを受信する。受信した参照画像データは医用画像記憶部２１に格納される。なお、参照画像データは読影レポート作成装置１００の読影レポート情報記憶部２３に格納されていてもよいし、参照レポート情報生成部３３の要求に応じて、医用画像一元管理サーバ２００、モダリティ装置３００または読影レポートサーバ５００などの外部の記憶装置から受信してもよい。
【００３７】
ＳＴ１０３では、解剖学的位置検出部３２が、参照画像データから解剖学的位置を検出する。なお、参照画像について解剖学的位置情報がすでに付与されている場合は、この処理は省略できる。
【００３８】
図４は、解剖学的位置の検出方法を説明する図である。図４（ａ）は解剖学的位置の検出に使用するモデルａ５の生成方法の例を示している。図４（ａ）に示されるモデルａ５は、予め読影レポート作成装置１００の記憶部２０に格納されていてもよいし、外部の記憶装置に格納されていてもよい。
【００３９】
図４（ａ）に示すように、解剖学的位置の検出に使用するモデルａ５は、一般的な機械学習やパターン認識により生成される。図４（ａ）には、画像データベースａ１と、解剖学的位置正解データａ２とを用いてモデルａ５が生成される例が示されている。画像データベースａ１とは、異なる体形の被検体について、Ｘ線ＣＴ装置やＭＲＩ装置によって取得されたボリュームデータの集合である。図４（ａ）に例示されるように、画像データベースａ１には、全身のボリュームデータ（画像Ａ）に限らず、体の一部分を撮像したボリュームデータ（画像ＢおよびＣ）が含まれる。解剖学的位置正解データａ２は、画像データベースａ１のそれぞれの画像について、医師等の専門家により予め正しい解剖学的位置が判定されたデータである。図４（ａ）で示すように、特徴抽出部ａ３が、画像データベースａ１のそれぞれのボリュームデータから特徴を抽出し、解剖学的位置正解データａ２を用いて、学習アルゴリズムａ４によりモデルａ５を生成する。モデルａ５は、学習アルゴリズムａ４の結果生成され、画像データベースａ１から抽出された特徴と、解剖学的位置とを対応付けるための方法を示すものである。このモデルａ５には、たとえば、機械学習など用いたモデルがある。また、このようなモデルは、性別、年齢、人種や体格などに応じて異なるモデルが生成されていてもよいし、これらの違いを吸収できるようなモデルであってもよい。
【００４０】
図４（ｂ）は解剖学的位置検出部３２で実行される処理の例を示している。解剖学的位置検出部３２は、解剖学的位置が未知の解析対象画像データｂ１について、図４（ａ）の特徴抽出部ａ３と同様に、特徴を抽出し、すでに生成済みのモデルａ５を用いて解剖学的位置を検出する。より具体的には、局所構造を検出するとともに、検出した局所構造の医用画像中における位置を解剖学的位置として算出する。このようにして算出された解剖学的位置情報ｂ２は、解析対象画像データｂ１に付与される。
【００４１】
なお、上記解剖学的位置は、上述した方法に限られず、計算解剖学と呼ばれる数理統計的枠組み（計算解剖モデル）により検出することもできる。
【００４２】
図５は、局所構造の種類を説明する図である。局所構造は、医用画像を理解するうえで重要な役割を担う人体の特徴的な構造のことであり、解剖学的ランドマーク（ＡＬ：Anatomical Landmark）と呼ばれることもある。たとえば、図５（ａ）は頭部および頸部の局所構造の例を示している。図５（ａ）には、上から順に第１頚椎（頚椎Ｉ）の前弓（結節）、歯突起の上端（頚椎ＩＩ）、右眼球上面、左眼球上面、右眼球中心、左眼球中心、が例示されている。同様に、図５（ｂ）には、胸部の局所構造について、気管分岐部、右肺尖部、左肺尖部、右肩甲骨下角、左肩甲骨下角、左鎖骨下動脈始点、が例示されている。図５（ｃ）には、腹部の局所構造について、右腎上極、左腎上極、右腎下極、左腎下極、膵頭、膵尾先端、が例示されている。図５（ｄ）には、下肢の局所構造として、右大腿骨の外側上顆、右大腿骨の内側上顆、左大腿骨の外側上顆、左大腿骨の内側上顆、右脛骨の外側顆、右脛骨の内側顆、が例示されている。局所構造は、たとえば、図５に示したような粒度で全身に定義されており、人体を構成する種々の骨や筋肉、臓器等について複数の局所構造が定められている。解剖学的位置は、これらの局所構造のそれぞれについて検出される。
【００４３】
このような解剖学的位置は、解剖学的位置情報として医用画像データと関連付けた状態で保持される。解剖学的位置情報は、たとえば、医用画像を一意に特定するためのＩＤなどと関連付けされてＸＭＬやテキスト形式等で記憶部２０等にデータベースとして保持されてもよいし、ＤＩＣＯＭの付帯情報として医用画像データと一体となって保持されていてもよい。
【００４４】
解剖学的位置情報は、解剖学的位置の情報に加えて、その解剖学的位置に対応する局所構造が属する胸部や腹部といった部位情報や、骨系や呼吸器系など、その解剖学的位置に対応する局所構造の人体における機能系統に応じた体組織情報などを含むことができる。
【００４５】
図６は、解剖学的位置情報を説明する図である。図６（ａ）の表は、解剖学的位置情報の例を示している。図６（ａ）の解剖学的位置情報を示す表には、左から、解剖学的位置の、識別子、名称、信頼度、部位、体組織、患者座標系（Ｘ軸、Ｙ軸、Ｚ軸）での位置が示されている。図６（ａ）には腹部の解剖学的位置情報の一部が例示されている。図６（ａ）の表は左から、識別子（ＡＢＤＯ２５．Ｃ））、名称（Ｌ５の身体の中心）、信頼度（０．８７）、部位（腹部）、体組織（骨系）、患者座標系（Ｘ軸（−３．１）、Ｙ軸（２３．４）、Ｚ軸（９０．０））が示されている。同様に、２段目は、識別子（ＡＢＤＯ３２．Ｃ））、名称（右腸骨棘上面）、信頼度（０．８２）、部位（腹部）、体組織（骨系）、患者座標系（Ｘ軸（−１１．１）、Ｙ軸（−５４．４）、Ｚ軸（８４．１））、３段目は、識別子（ＡＢＤＯ３９．Ｃ））、名称（左腸骨棘上面）、信頼度（０．８３）部位、（腹部）、体組織（骨系）、患者座標系（Ｘ軸（−３．０）、Ｙ軸（３０．０）、Ｚ軸（１０４．０））が示されている。
【００４６】
識別子は解剖学的位置を一意に特定するためのＩＤである。名称は、局所構造の名称を示しており、解剖学的、医学的に専門的な用語で示されている。信頼度は、解剖学的位置の正確性を示す数値である。解剖学的位置は機械学習アルゴリズムやパターン認識などによって、計算により推定されたデータであることから、解剖学的位置それぞれについて、それらの位置がどれくらいの正確性を持って算出されたかを示す数値が与えられる。図６（ａ）に示した例では、０から１の間の数値で表現しており、１に近い数値であるほど信頼性が高いことを示している。部位は、局所構造が属する人体の部位を示しており、たとえば、胸部や腹部のように分類される。体組織は、局所構造の機能に応じて分類されており、たとえば、神経系、骨系、呼吸器系などである。このような、部位や体組織以外にも、心臓、肺、大腿骨など、臓器名や解剖学的な構造体の単位に関する情報を、解剖学的位置情報として有することもできる。患者座標系は、Ｘ軸、Ｙ軸、Ｚ軸の座標により、解剖学的位置を示している。
【００４７】
図６（ｂ）は、患者座標系について説明する図である。図６（ｂ）に示すように、患者座標系は、患者の左右方向をＸ軸、患者の背腹側方向をＹ軸、患者の頭足方向をＺ軸とする座標系である。Ｘ軸は患者の中心から右方向を、Ｙ軸は患者の中心から背側方向を正として増加し、Ｚ軸は患者の足部から頭部の方向に増加する。このような患者座標系は、ボリュームデータが有する基準位置など、任意の位置により相対的に表されている。
【００４８】
なお、図６の例は、解剖学的位置情報に含まれる情報やデータ形式の一例を示すものである。
【００４９】
図３のフローチャートに戻って説明する。
【００５０】
ＳＴ１０５では、参照レポート情報生成部３３が参照レポート情報を生成する。参照レポート情報生成部３３は、参照画像から検出された解剖学的位置に基づいて各種テーブルを生成する。たとえば、参照画像から検出された解剖学的位置に対応する局所構造の種類や、局所構造が属する部位や臓器などの情報を一覧化した解剖学的位置テーブルを生成する。また、参照レポートのキー画像から最も近い位置に存在する解剖学的位置に対応する局所構造（以下、最近傍ＡＬと呼ぶ）を一覧化したキー画像テーブルを生成する。
【００５１】
ＳＴ１０７では、読影レポート情報記憶部２３が参照レポート情報として、解剖学的位置テーブルやキー画像テーブルを記憶する。
【００５２】
以下、図７乃至８で読影レポート情報記憶部２３に格納される各種テーブルについて説明する。
【００５３】
図７は、実施形態に係る読影レポート作成装置１００の参照レポートの解剖学的位置テーブルを説明する図である。参照レポートの解剖学的位置テーブルは、参照画像から検出された解剖学的位置に基づいて生成される。図７の解剖学的位置テーブルには左から、「参照レポートＩＤ」、「局所構造の種類」、「部位」、「臓器」が示されている。「参照レポートＩＤ」は参照レポートを一意に特定するためのＩＤである。「局所構造の種類」は図６（ａ）に示した解剖学的位置情報の「名称」と対応する情報であってもよいし、「識別子」に対応する情報であってもよい。また、「部位」や「臓器」は参照画像から検出された解剖学的位置が属する部位や臓器を示している。図６で説明したように、解剖学的位置情報は、部位や臓器に関する情報を有している。そのほかにも、解剖学的位置情報が含む「体組織」を一覧化して解剖学的位置テーブルに加えてもよい。
【００５４】
図７に例示した解剖学的位置テーブルには「参照レポートＩＤ」（ＲＥ−００１）の１段目の「局所構造の種類」として「ＡＬ５、ＡＬ６、ＡＬ７、ＡＬ８、ＡＬ９、ＡＬ１０」が示され、対応する「部位」として「胸部」が示されている。また、「臓器」の列には上から、「右肺」、「左肺」、「右肺」、「左肺」、「横隔膜」「横隔膜」が示されている。同様に、「参照レポートＩＤ」（ＲＥ−００２）では、「局所構造の種類」に「ＡＬ１１、ＡＬ１２、ＡＬ１３、ＡＬ１４」が示され、対応する「部位」として「胸部」が、対応する「臓器」として「心臓」が示されている。同様に、「局所構造の種類」に「ＡＬ１５、ＡＬ１６、ＡＬ１７、ＡＬ１８」に対応する部位として「腹部」が示され、対応する「臓器」として「肝臓」が示されている。「参照レポートＩＤ」（ＲＥ−００３）の「局所構造の種類」には「ＡＬ１９、ＡＬ２０、ＡＬ２１、ＡＬ２２、ＡＬ２３」が示され、局所構造に対応する「部位」として「腹部」が示され、対応する「臓器」として上から「右腎臓」、「左腎臓」、「右腎臓」、「左腎臓」、「膀胱」が示されている。
【００５５】
参照レポート情報生成部３３は、参照画像から検出された解剖学的位置に基づいて、図７に例示したような解剖学的位置テーブルを生成する（ＳＴ１０５）。生成した解剖学的位置テーブルは読影レポート情報記憶部２３に格納される（ＳＴ１０７）。
【００５６】
図７では参照画像から検出された解剖学的位置に基づいて、局所構造、部位、臓器などを一覧化したテーブルの例を示したが、参照レポート情報として生成されるテーブルはこれに限定されない。たとえば、参照レポート情報生成部３３は、参照レポートのキー画像から最も近い位置に存在する解剖学的位置に対応する局所構造（最近傍ＡＬ）を一覧化したキー画像テーブルを生成してもよい。さらに、最近傍ＡＬの解剖学的位置からキー画像の所定の位置までの距離（以下、最近傍ＡＬ距離と呼ぶ）を一覧化したキー画像テーブルを生成してもよい。最近傍ＡＬ距離は、距離算出部３５により算出される。以下、図８および図９で参照レポートのキー画像ごとに最近傍ＡＬと最近傍ＡＬ距離を一覧化したキー画像テーブルの例を説明する。
【００５７】
図８は、実施形態に係る読影レポート作成装置１００の最近傍ＡＬ距離を説明する図である。最近傍ＡＬ距離は、距離算出部３５で算出される。図８の例では、白抜きで示したスライス画像は、局所構造「ＡＬ１」に対応する解剖学的位置を含むスライス画像（スライス番号Ｎ）を、網掛けで示したスライス画像は、キー画像（スライス番号Ｍ）を示している。図８では、スライス番号Ｎに含まれるＡＬ１の座標として（Ｘ１ａ、Ｙ１ａ、Ｚ１ａ）が示されている。また、キー画像にはアノテーションが付与されており、アノテーションの座標として、（Ｘ１ｂ、Ｙ１ｂ、Ｚ１ｂ）が示されている。
【００５８】
アノテーションとは、読影レポートの作成において、１つの医用画像データに含まれる複数の画像の中から、読影の鍵になると読影医によって判断されたキー画像上に、注意して観察すべき部分を示すために表示される。アノテーションはキー画像上に矢印等の記号や領域を囲む線として表示される。したがって、アノテーションの座標は、アノテーションが記された矢印の座標であってもよいし、一定の領域が選択された場合は、その中心の座標であってもよい。
【００５９】
解剖学的位置やアノテーションなどの座標は、医用画像データに関連付けされた解剖学的位置情報の患者座標系で表されてもよい。また、医用画像データのスライス方向ＡをＺ軸に対応させると、スライス画像はＸＹ平面に対応する。医用画像データは付帯情報として撮像条件に関する情報を含む。撮像条件には、たとえば、ピクセルサイズ、スライス厚やスライス間隔、撮像開始位置や基準位置などの情報が含まれる。図６（ａ）で説明したように、解剖学的位置は患者座標系と呼ばれる座標系で示されているが、医用画像データのスライス方向ＡをＺ軸とすると、ピクセルサイズ、スライス厚やスライス間隔などの情報により、解剖学的位置の患者座標系を医用画像データのボクセル座標または、スライス画像の座標とスライス番号に変換することができる。
【００６０】
キー画像の最近傍ＡＬ距離は、図８のＬ、Ｌｘ、Ｌｙ、Ｌｚのいずれかの距離であってもよいし、組み合わせであってもよい。たとえばＬｚは、図１２で示したキー画像と最近傍ＡＬを含むスライス画像のスライス番号から算出したスライス間距離を示している。キー画像と最近傍ＡＬを含むスライス画像のスライス間距離は、スライス番号Ｍとスライス番号Ｎの差をスライス厚とスライス間隔とで換算して算出できる。また、Ｌは、ＡＬ１の座標とキー画像のアノテーションの座標との点間距離（ユークリッド距離）を示しており、下記式（１）で算出される。
【００６１】
【数１】
2015191561.tif 000003
【００６２】
さらに、ＬｘはＡＬ１のＸ座標とキー画像のアノテーションのＸ座標との距離を、ＬｙはＡＬ１のＹ座標とキー画像のアノテーションのＹ座標との距離を、それぞれ示している。それぞれ、ＡＬ１とキー画像のアノテーションのＸ座標とＹ座標の差をピクセルサイズで換算することで距離を求めることができる。
【００６３】
図８では、ＡＬ１の座標とアノテーションの座標との距離をそれぞれ例示したが、距離算出部３５は、たとえばキー画像の中心の座標に基づき最近傍ＡＬ距離を算出してもよい。
【００６４】
図９は、実施形態に係る読影レポート作成装置１００の参照画像のキー画像テーブルを説明する図である。図９の例は、参照レポートを一意に特定するための「参照レポートＩＤ」ごとに、キー画像を一意に特定するための「キー画像ＩＤ」と、「最近傍ＡＬ」と、「最近傍ＡＬ距離（ｍｍ：ミリメートル）」がそれぞれ示されている。図９の「参照レポートＩＤ」（ＲＥ−００１）に対応する表の１段目には、「キー画像ＩＤ」（ＩＭＧ−００３５）の「最近傍ＡＬ」として（ＡＬ５）が特定され、「最近傍ＡＬ距離」が（１５ｍｍ）であることが示され、２段目には、「キー画像ＩＤ」（ＩＭＧ−００４２）の「最近傍ＡＬ」として（ＡＬ６）が特定され、「最近傍ＡＬ距離」が（３０ｍｍ）であることが示されている。同様に、「参照レポートＩＤ」（ＲＥ−００２）に対応する表の１段目には、「キー画像ＩＤ」（ＩＭＧ−０１５２）の「最近傍ＡＬ」として（ＡＬ６）が特定され、「最近傍ＡＬ距離」が（２５ｍｍ）であることが示され、２段目には、「キー画像ＩＤ」（ＩＭＧ−０２５４）の「最近傍ＡＬ」として（ＡＬ１８）が特定され、「最近傍ＡＬ距離」が（１２３ｍｍ）であることが示されている。「参照レポートＩＤ」（ＲＥ−００３）に対応する表の１段目には、「キー画像ＩＤ」（ＩＭＧ−００１５）の「最近傍ＡＬ」として（ＡＬ５）が特定され、「最近傍ＡＬ距離」が（３５ｍｍ）であることが示され、２段目には、「キー画像ＩＤ」（ＩＭＧ−００１８）の「最近傍ＡＬ」として（ＡＬ６）が特定され、「最近傍ＡＬ距離」が（６８ｍｍ）であることが示されている。「参照レポートＩＤ」（ＲＥ−００４）に対応する表の１段目には、「キー画像ＩＤ」（ＩＭＧ−００４８）の「最近傍ＡＬ」として（ＡＬ５）が特定され、「最近傍ＡＬ距離」が（４０ｍｍ）であることが示され、２段目には、「キー画像ＩＤ」（ＩＭＧ−００５３）の「最近傍ＡＬ」として（ＡＬ６）が特定され、「最近傍ＡＬ距離」が（４５ｍｍ）であることが示されている。
【００６５】
上述のように参照レポート情報生成３３は参照レポートまたは参照画像を解析して参照レポート情報として各種テーブルを生成する。生成した参照レポート情報は、読影レポート情報記憶部２３に格納され、参照レポートの検索に利用される。
【００６６】
なお、参照レポート情報生成部３３で生成される各種テーブルは、医用画像一元管理サーバ２００、読影レポートサーバ５００あるいは外部の記憶装置で生成されてもよい。同様にこれらのテーブルは、医用画像一元管理サーバ２００、読影レポートサーバ５００あるいは外部の記憶装置に記憶され、必要に応じて読影レポート作成装置１００が読込、あるいは参照することで、参照レポートの検索に使用されてもよい。
【００６７】
（参照レポートを検索する方法）
次に、生成した参照レポート情報を使って新規レポートに類似し、新規レポートを作成する際に参照される参照レポートの検索方法について説明する。
【００６８】
図１０は、実施形態に係る読影レポート作成装置１００の参照レポートを検索する動作の一例を示すフローチャートである。
【００６９】
ＳＴ２０１では、レポート作成部３１が新規レポートの作成を開始する。新規レポートの作成を開始する際、新規レポートの作成対象である新規画像が選択される。たとえば、表示部４０などに表示された読影レポート未作成の医用画像データの一覧から、ユーザが入力部５０を介した選択に基づき入力される。
【００７０】
ＳＴ２０３では、読影レポート作成装置１００は、新規レポートの作成対象である新規画像データを医用画像一元管理サーバ２００またはモダリティ装置３００から受信する。受信した新規画像データは医用画像記憶部２１に格納される。
【００７１】
ＳＴ２０５では、解剖学的位置検出部３２が、新規画像データから解剖学的位置を検出する。なお、新規画像について解剖学的位置情報がすでに付与されている場合は、この処理は省略できる。
【００７２】
ＳＴ２０７では、レポート検索部３６が、新規画像から検出された解剖学的位置情報に基づいて、参照レポートを検索する。
【００７３】
図１１は、実施形態に係る読影レポート作成装置１００の新規画像から検出された解剖学的位置情報を説明する図である。図１１に例示するように、新規画像に含まれるすべての解剖学的位置について、解剖学的位置を示す局所構造の種類ごとに、その局所構造が属する部位および臓器が一覧化されている。図１１の１段目の局所構造の種類は「ＡＬ７」であり、部位は「胸部」、臓器は「右肺」である。２段目の局所構造の種類は「ＡＬ８」であり、部位は「胸部」、臓器は「左肺」、３段目の局所構造の種類は「ＡＬ９」であり、部位は「胸部」、臓器は「横隔膜」、４段目の局所構造の種類は「ＡＬ１０」であり、部位は「胸部」、臓器は「横隔膜」である。６段目から９段目の局所構造の種類は順に「ＡＬ１１、ＡＬ１２、ＡＬ１３、ＡＬ１４」であり、部位は「胸部」、臓器は「心臓」である。同様に、１０段目から１３段目の局所構造の種類は順に「ＡＬ１５、ＡＬ１６、ＡＬ１７、ＡＬ１８」であり、部位は「腹部」、臓器は「肝臓」である。さらに、１４段目の局所構造の種類は「ＡＬ１９」であり部位は「腹部」、臓器は「右腎臓」である。
【００７４】
レポート検索部３６は、新規画像の解剖学的位置情報の局所構造や部位あるいは臓器をキーとして、読影レポート情報記憶部２３に格納された解剖学的位置テーブルを検索し、参照レポートを検索してもよい。たとえば、レポート検索部３６は、新規画像の解剖学的位置がＡＬ７からＡＬ１９のいずれかが含まれる参照レポートを読影レポート情報記憶部２３に格納された解剖学的位置テーブルから抽出してもよい。また、新規画像の検査目的から特定した部位や臓器などに基づいて参照レポートを検索してもよい。
【００７５】
このように、新規画像から検出された解剖学的位置情報に基づき、参照レポート情報を検索することで、新規画像と類似する医用画像に基づき作成された参照レポートを検索することができる。
【００７６】
また、レポート検索部３６は、一致度算出部３４で算出された一致度に基づいて参照レポートを検索してもよい。以下、図１２乃至１５で一致度算出部３４での一致度の算出方法を説明する。
【００７７】
図１２は、実施形態に係る読影レポート作成装置１００の部位の一致による一致度の計算方法を説明する図である。
【００７８】
図１２（ａ）は、検査目的部位として「胸部」が選択された例を示している。検査目的部位とは、検査において代表的な部位を指す。検査目的部位は、たとえば、検査依頼から取得してもよいし、読影医等が入力部５０から入力してもよい。また、新規画像データの解剖学的位置情報の部位の比率から、検査において検査目的部位を選択してもよい。たとえば、図１１に示した新規画像データの解剖学的位置情報には、「腹部」に属する局所構造が５種であるのに対して、「胸部」に属する局所構造が８種ある。このように、局所構造の種類数が多い部位を検査目的部位として自動で選択してもよい。
【００７９】
図１２（ａ）の下部には、図７で示した参照画像データの解剖学的位置テーブルの一部が示されている。参照レポートＩＤが「ＲＥ−００１」の６個の局所構造はすべて「胸部」に属する。また参照レポートＩＤが「ＲＥ−００２」の８個の局所構造のうち、４個が「胸部」に属する。一方、参照レポートＩＤが「ＲＥ−００３」は「胸部」に属する局所構造が１つもない。
【００８０】
図１２（ｂ）は一致度算出部３４で算出された一致度を示している。図１２（ｂ）は、新規画像の検査目的部位に対応する部位を含む場合を一致度を「１」とし、含まない場合を「０」としたときの一致度を一覧で示している。図１２（ａ）に示すとおり、参照レポートＩＤ「ＲＥ−００１」および「ＲＥ−００２」は新規画像の検査目的部位である「胸部」を含むため、一致度の欄に「１」が示されている。一方、参照レポートＩＤ「ＲＥ−００３」は「胸部」を含まないため、一致度の欄に「０」が示されている。
【００８１】
図１２では、一致度算出部３４が新規画像の検査目的部位を含むか否かに基づいて一致度を算出する例を示したが、一致度の算出方法は上述の方法に限らない。
【００８２】
図１３は、実施形態に係る読影レポート作成装置１００の部位の割合による一致度の計算方法を説明する図である。
【００８３】
図１３（ａ）は、図１１に示した新規画像の解剖学的位情報の「部位の割合」を一覧化した表を示している。部位の割合は、それぞれの部位に対応する局所構造の数を全体の局所構造の数で割った数値である。たとえば、図１１では、「胸部」に属する局所構造の数は８個であり、「腹部」に属する局所構造の数は５個である。全体の局所構造の数は１３個である。したがって、胸部の「部位の割合」は、８÷１３により求められる「０．６２（小数第３位四捨五入）」となり、腹部の「部位の割合」は、６÷１３により求められる「０．３８（小数第３位四捨五入）」となる。以下、一致度算出部３４で算出された結果は、記載の関係上「小数第３位四捨五入」した数値で示すこととする。
【００８４】
図１３（ｂ）は参照画像の部位割合を示している。図１３（ｂ）の左から３列目の「部位の割合」は、図１３（ａ）と同様の方法で算出され、参照レポートＩＤ「ＲＥ−００１」では胸部の割合が「１．００」、腹部の割合が「０．００」、参照レポートＩＤ「ＲＥ−００２」では胸部の割合が「０．５０」、腹部の割合が「０．５０」、参照レポートＩＤ「ＲＥ−００３」では胸部の割合が「０．００」、腹部の割合が「１．００」が示されている。
【００８５】
なお、図１３（ｂ）に示した表は、部位割合テーブルとして参照レポート情報生成部３３で予め生成され、読影レポート情報記憶部２３に格納されていてもよい。一致度算出部３４は、ｉを部位の種類とし、新規画像の部位ｉの割合をｔ［ｉ］、参照画像の部位ｉの割合をｒ［ｉ］、全部位数をＮ、一致度をＣとして、下記数式（２）から一致度を算出する。なお、数式（２）は、新規レポートと参照レポートの２つのレポートを比較するため、定数２で割った割合を１から引いた数を一致度として算出している。
【００８６】
【数２】
2015191561.tif 000004
【００８７】
たとえば、上記式に図１３（ａ）（新規レポート）、および図１３（ｂ）の１段目（参照レポートＩＤ「ＲＥ−００１」）の値を当てはめると、全部位数Ｎは「胸部」と「腹部」の２種類でＮ＝２となる。同様に、図１０（ａ）の表より、「胸部」の新規画像の割合ｔ［胸部］＝０．６２、「腹部」の新規画像の割合ｔ［腹部］＝０．３８である。図１０（ｂ）の１段目から、参照画像ＩＤ「０００１」の「胸部」の参照画像の割合ｒ［胸部］＝１．００、「腹部」の参照画像の割合ｒ［腹部］＝０．００である。これらの数値を数式（１）に当てはめると、参照画像ＩＤ「０００１」の参照レポートＩＤ「ＲＥ−００１」の一致度Ｃは、「０．６２」となる。
【００８８】
図１３（ｃ）は、上述の数式（２）により一致度算出部３４で算出された一致度を示している。上述の計算のとおり、図１３（ｃ）の１段目の、参照レポートＩＤ「ＲＥ−００１」の一致度は、「０．６２」となる。同様に、２段目の参照レポートＩＤ「ＲＥ−００２」の一致度は、「０．８８」、３段目の参照レポートＩＤ「ＲＥ−００３」の一致度は、「０．３８」と算出される。
【００８９】
上述のように、図１２および図１３では、局所構造が属する部位の種類や部位の割合に応じて一致度を算出する例を示した。このように、本実施形態に係る読影レポート作成装置１００では、新規画像と参照画像との局所構造の属する部位から算出した一致度により、新規画像と類似する参照画像に関連する参照レポートを検索することができる。
【００９０】
また、新規画像の解剖学的位置情報および参照レポート情報の解剖学的位置テーブルには、局所構造が属する「臓器」の情報が含まれる。したがって、図１２および図１３で説明した方法と同様の方法で、一致度算出部３４は検査目的の「臓器」を対象とした一致度の算出や、臓器の割合に基づく一致度の算出を行うことできる。たとえば、ＨＩＳ／ＲＩＳ４００などから取得した新規画像の検査目的が「肺がんの精密検査」の場合は、「肺」に属する局所構造を一致度の算出に使用してもよい。さらに、局所構造の種類や、局所構造の割合に基づく一致度も同様に算出することができる。
【００９１】
図１４は、実施形態に係る読影レポート作成装置１００の局所構造の種類による一致度の計算方法を説明する図である。
【００９２】
図１４（ａ）は、図１１に示した新規画像データの解剖学的位置情報の局所構造の種類を示している。図１４（ａ）の例では、１３種類の局所構造が示されている。
【００９３】
図１４（ｂ）は、図７に示した参照画像データの解剖学的位置テーブルに一覧化された局所構造の種類を示している。図１４（ｂ）の例では、参照レポートＩＤ「ＲＥ−００１」の局所構造は６種、参照レポートＩＤ「ＲＥ−００２」の局所構造は８種、参照レポートＩＤ「ＲＥ−００３」の局所構造は５種であることがわかる。それぞれ、図１４（ａ）に示した新規画像の局所構造の種類と一致するものは、参照レポートＩＤ「ＲＥ−００１」では４種（ＡＬ７、ＡＬ８，ＡＬ９、ＡＬ１０）、参照レポートＩＤ「ＲＥ−００２」の局所構造は８種（ＡＬ１１、ＡＬ１２、ＡＬ１３、ＡＬ１４、ＡＬ１５、ＡＬ１６、ＡＬ１７、ＡＬ１８）、参照レポートＩＤ「ＲＥ−００３」の局所構造は１種（ＡＬ１９）である。一致度算出部３４は、一致した局所構造の種類数を、すべての局所構造の種類数で割った数値を一致度として算出する。たとえば、新規画像と参照レポートＩＤ「ＲＥ−００１」を比較すると、局所構造の種類は１５種類である。そのうち一致した局所構造の種類数は４種類である。したがって、一致度は、４÷１５により「０．２７」と求めることができる。
【００９４】
図１４（ｃ）は、一致度算出部３４で算出された一致度を示している。図１４（ｃ）の１段目に示すように、参照レポートＩＤ「ＲＥ−００１」の一致度は、「０．２７」となる。同様に、２段目の参照レポートＩＤ「ＲＥ−００２」の一致度は、「０．６２」、３段目の参照レポートＩＤ「ＲＥ−００３」の一致度は、「０．０６」と算出される。
【００９５】
上述のように、一致度算出部３４は、部位、臓器または、局所構造の種類などに基づいて一致度を算出することができる。したがって、検査結果として実際に取得された医用画像データに撮像された部位や臓器に基づいて、取得された医用画像データと、実際の検査内容が類似する参照レポートの検索が可能となる。
【００９６】
また、新規画像と参照画像とにキー画像が特定されている場合は、キー画像に基づき一致度を算出することができる。たとえば、キー画像の最も近い位置に存在する解剖学的位置に対応する局所構造（最近傍ＡＬ）が一致するかどうか、または、一致する最近傍ＡＬの種類や割合に基づいて、一致度を算出してもよい。また、キー画像が複数ある場合は、代表キー画像を抽出して一致度を算出してもよい。さらに、最近傍ＡＬの解剖学的位置からキー画像の所定の位置までの距離（最近傍ＡＬ距離）に基づいて、一致度を算出してもよい。なお、図８で説明したとおり、最近傍ＡＬ距離は距離算出部３５によって算出される。
【００９７】
図１５は、実施形態に係る読影レポート作成装置１００の最近傍ＡＬ距離による一致度の計算方法を説明する図である。
【００９８】
図１５（ａ）は、新規画像のキー画像についてそれぞれ特定された最近傍ＡＬと、最近傍ＡＬ距離が一覧で示されている。図１５（ａ）の表は左からキー画像を一意に特定するための「キー画像ＩＤ」、「最近傍ＡＬ」、「最近傍ＡＬ距離（ｍｍ：ミリメートル）」が示されている。図１５（ａ）の表の１段目には、「キー画像ＩＤ」（ＩＭＧ−００２５）の「最近傍ＡＬ」として（ＡＬ５）が特定され、「最近傍ＡＬ距離」が（２０ｍｍ）であることが示されている。同様に、２段目には、「キー画像ＩＤ」（ＩＭＧ−００３０）の「最近傍ＡＬ」として（ＡＬ６）が特定され、「最近傍ＡＬ距離」が（３０ｍｍ）であることが示され、３段目には、「キー画像ＩＤ」（ＩＭＧ−０２２５）の「最近傍ＡＬ」として（ＡＬ１８）が特定され、「最近傍ＡＬ距離」が（１０５ｍｍ）であることが示されている。
【００９９】
図１５（ｂ）は、図９と同じキー画像テーブルを示している。一致度算出部３４は、最近傍ＡＬの種類をｉとして、新規画像の最近傍ＡＬｉの最近傍ＡＬ距離をｔｄ［ｉ］、参照画像の最近傍ＡＬｉの最近傍ＡＬ距離をｒｄ［ｉ］、最近傍ＡＬの種類が一致する数をＮ、定数αとして、下記式（３）に基づき一致度を算出してもよい。
【０１００】
【数３】
2015191561.tif 000005
【０１０１】
図１５（ａ）の新規画像と、図１５（ｂ）の参照画像の参照レポートＩＤ「ＲＥ−００１」との一致度を算出する場合、上述の式（３）の最近傍ＡＬの種類が一致する数をＮは「２」となる。具体的には、図１５（ａ）の新規画像と図１３（ｂ）の参照レポートＩＤ「ＲＥ−００１」とで一致するキー画像の「最近傍ＡＬ」は（ＡＬ５、ＡＬ６）の２種である。また、定数αは、たとえば、最近傍ＡＬ距離の差として想定される最大値や平均値など、最近傍ＡＬ距離の差を正規化するための数値が使用される。
【０１０２】
図１５（ａ）から、新規画像の最近傍ＡＬ５の最近傍ＡＬ距離をｔｄ［ＡＬ５］＝２０、最近傍ＡＬ６の最近傍ＡＬ距離をｔｄ［ＡＬ６］＝３０である。同様に、図１３（ｂ）から、参照レポートＩＤ「ＲＥ−００１」の最近傍ＡＬ５の最近傍ＡＬ距離はｒｄ［ＡＬ５］＝１５、最近傍ＡＬ６の最近傍ＡＬ距離をｒｄ［ＡＬ６］＝３０である。数式（１）に当てはめると、一致度Ｃは０．９８となる。
【０１０３】
図１５（ｃ）は定数αを１００として式（３）に基づき一致度を算出した結果を示している。上述のとおり、１段目は新規画像と、参照レポートＩＤ「ＲＥ−００１」との一致度を示しており、「０．９８」となる。同様に、参照レポートＩＤ「ＲＥ−００２」との一致度は「０．８９」、参照レポートＩＤ「ＲＥ−００３」との一致度は「０．７４」、参照画像「ＲＥ−００４」との一致度は「０．７１」である。
【０１０４】
また、一致度算出部３４は、新規画像と参照画像とにそれぞれ特定されたキー画像が複数ある場合は、「代表キー画像」を定めて、代表キー画像の最近傍ＡＬ距離から一致度を算出してもよい。
【０１０５】
図１５（ｄ）は、代表キー画像の最近傍ＡＬ距離から一致度を算出した結果を示している。図１５（ａ）の新規画像の３つのキー画像についてそれぞれ「ＡＬ５、ＡＬ６、ＡＬ１８」の最近傍ＡＬが抽出されている。たとえば、そのうち最近傍ＡＬ距離が一番短いものを代表キー画像とすると、「ＩＭＧ−００２５」が代表キー画像となり、それに対応する最近傍ＡＬは「ＡＬ５」となる。最近傍ＡＬ距離の長短ではなく、検査依頼や検査目的の部位や臓器などに基づき、代表キー画像を選択してもよい。
【０１０６】
代表キー画像「ＡＬ５」としたとき、図１５（ｂ）の参照画像の「ＲＥ−００２」は「ＡＬ５」を含まないため、一致度の算出対象から外れる。このように、代表キー画像の最近傍ＡＬを用いることで、より厳しい条件で参照レポートの一致度を算出することができる。代表キー画像を設定した場合の一致度は、新規画像の代表キー画像の最近傍ＡＬ距離をｔｄ、新規画像の代表キー画像の最近傍ＡＬと対応する参照画像のキー画像の最近傍ＡＬ距離をｒｄ、定数αとすると、下記の式（４）により算出される。
【０１０７】
【数４】
2015191561.tif 000006
【０１０８】
代表キー画像の最近傍ＡＬを「ＡＬ５」とすると、図１５（ａ）より、新規画像の代表キー画像の最近傍ＡＬ距離ｔｄ＝２０、図１５（ｂ）より、参照画像の代表キー画像の最近傍ＡＬ距離ｔｄ＝１５である。定数α＝１００とすると、上記式（４）より、レポートＩＤ「ＲＥ−００１」の一致度Ｃは０．９５となる。
【０１０９】
図１５（ｄ）は上記式（４）により算出された参照画像の一致度が示されている。上述のとおり、図１５（ｄ）の１段目には、参照レポートＩＤ「ＲＥ−００１」の一致度「０．９５」が示されている。同様に、２段目には、参照レポートＩＤ「ＲＥ−００３」の一致度「０．８５」、３段目には参照レポートＩＤ「ＲＥ−００４」の一致度「０．８０」が示されている。
【０１１０】
なお、一致度算出部３４は、単純に代表キー画像が一致するか否かによって一致度を算出してもよい。
【０１１１】
このように、実施形態に係る読影レポート作成装置１００は、キー画像の解剖学的位置に基づき、一致度を算出することができる。キー画像は異常が観察される特徴的な局所構造や部位を含むスライス画像である。このようなキー画像により参照レポートを検索することで、異常が観察される局所構造や部位が類似する参照レポートを、所見の内容などに依存せず検索することができる。
【０１１２】
図１０のフローチャートに戻って説明する。
【０１１３】
ＳＴ２０９では、レポート検索部３６は検索結果に基づき、検索結果表示を生成する。
【０１１４】
ＳＴ２１１では、表示部４０が、検索結果表示を表示する。検索結果表示は、たとえば、予め一致度の高い順から参照レポートを並べて表示されるように設定されていてもよいし、参照レポートのヒット順に表示されてもよい。
【０１１５】
図１６は、実施形態に係る読影レポート作成装置１００の第１の表示例を説明する図である。図１６は、レポート検索部３６で生成された参照レポートの検索結果表示の例を示している。図１６の検索結果表示を示す表示は、「レポート作成日時」、「患者名」、「検査日」、「モダリティ装置」、「代表部位」、「一致度」が示されている。図１６の「一致度」は、代表部位の一致度を示している。このほかにも、代表キー画像の最近傍ＡＬや、代表キー画像の最近傍ＡＬ距離などを表示してもよい。また、代表部位、キー画像の最近傍ＡＬなどのそれぞれの要素に基づいて算出された一致度に、それぞれ重みを付けて、総合的な一致度を示してもよい。図１６の例では、「一致度」の高い順で参照レポートを並べた検索結果表示を示している。
【０１１６】
上述のような検索結果表示が表示部４０に表示されたのち、ユーザである読影医等は、所望の参照レポートを検索結果の中から選択する。たとえば、図１６の表のある行を選択すると、対応する参照レポートが表示部４０上に表示されてもよい。また、参照レポートで使用されているフォーマットや、所見に記載された局所構造や部位など、流用可能な記載が新規レポートに自動で適用されてもよい。
【０１１７】
（検索結果の絞り込み）
また、本実施形態に係る読影レポート作成装置１００では、検索結果表示に大量の参照レポートが表示された場合、参照レポートの絞り込みを行うことができる。以下で、検索結果表示の絞り込みについて説明する。
【０１１８】
図１７は、実施形態に係る読影レポート作成装置１００の絞り込み検索の動作の一例を示すフローチャートである。図１７では、検索結果表示が表示部４０に表示された後の処理を説明する。
【０１１９】
ＳＴ３０１では、入力部５０から入力された絞り込み条件が入力される。入力された絞り込み条件はレポート検索部３６が取得する。
【０１２０】
ＳＴ３０３では、レポート検索部３６が、入力された絞り込み条件に基づき、参照レポートの検索を実行する。
【０１２１】
ＳＴ３０５では、レポート検索部３６が検索結果に基づき検索結果表示を生成する。
【０１２２】
ＳＴ３０７では、表示部４０が、検索結果表示を表示する。
【０１２３】
図１８は、実施形態に係る読影レポート作成装置１００の絞り込み条件を入力する画面の第１の表示例を説明する図である。
【０１２４】
図１８（ａ）の例では、図１４で例示した検索結果表示の表のヘッダ部分にボタンＢ１が示されている。ボタンＢ１を押下すると、検索結果表示のそれぞれの列の順序を並び替えることができる。たとえば、ボタンＢ１の上側のボタンを押下すると、レポート作成日時の昇順に並び替えが実行され、ボタンＢ１の下側のボタンを押下すると、レポート作成日時の降順に並び替えが実行される。
【０１２５】
また、ボタンＢ１を押下すると、列内に存在するデータの一覧が表示されてもよい。図１８（ｂ）は、図１８（ａ）の代表部位のボタンＢ１を押下し、列内に存在するデータの一覧を表示する例を示している。図１８（ｂ）には「頭部」、「胸部」、「腹部」が示されており、チェックボックスにより１つ以上の部位を選択することで、代表部位の種類により参照レポートの絞り込みが実行される。
【０１２６】
図１８（ｃ）は、絞り込み条件をプルダウンメニューで入力する例を示している。図１８（ｃ）の例では、「転移先／併発部位」が選択された例が示されている。「転移先／併発部位」が選択されると、レポート検索部３６は、新規画像の原発部位に関連する解剖学的位置に対応する局所構造（以下、原発部位ＡＬ）に基づいて、転移先／併発部位に関連する参照レポートを表示する。
【０１２７】
なお、図１８（ｃ）では、絞り込み条件としてプルダウンメニューにより「転移先／併発部位」が選択された例を示したが、たとえば、読影において使用された読影手順を案内するナビゲーションの種類や、読影順序、読影の際に使用した画像処理の種類など、読影において実行された各種処理や手順が類似するかどうかによって参照レポートの絞り込みが行われてもよい。
【０１２８】
また、新規画像データの原発部位ＡＬに基づいて、新規画像データから転移先／併発部位に関連する解剖学的位置を含むスライス画像を表示してもよいし、被検体の過去の検査データなどから、原発部位ＡＬや新規画像データから転移先／併発部位に関連する解剖学的位置に関するデータを表示してもよい。
【０１２９】
図１９は、実施形態に係る読影レポート作成装置１００の原発部位ＡＬによる絞込みを説明する図である。
【０１３０】
図１９は「原発部位ＡＬ」と「疾患名」ごとに、転移先および併発部位に関連する解剖学的位置に対応する局所構造（以下、転移先／併発部位ＡＬと呼ぶ）を一覧化した表である。図１９の１段目は、原発部位ＡＬが「ＡＬ７」、疾患名が「疾患Ａ」であり、対応する転移先／併発部位ＡＬとして「ＡＬ１、ＡＬ３」が示されている。同様に、２段目は、原発部位ＡＬが「ＡＬ７」、疾患名が「疾患Ｂ」であり、対応する転移先／併発部位ＡＬとして「ＡＬ１５、ＡＬ２２」、３段目は、原発部位ＡＬが「ＡＬ８」、疾患名が「疾患Ａ」であり、対応する転移先／併発部位ＡＬとして「ＡＬ２、ＡＬ４」、４段目は、原発部位ＡＬが「ＡＬ８」、疾患名が「疾患Ｂ」であり、対応する転移先／併発部位ＡＬとして「ＡＬ１４、ＡＬ２０、ＡＬ２３」、５段目は、原発部位ＡＬが「ＡＬ９」、疾患名が「疾患Ｄ」であり、対応する転移先／併発部位ＡＬとして「ＡＬ２、ＡＬ３、ＡＬ５、ＡＬ６」が示されている。
【０１３１】
レポート検索部３６は、図１９の表に基づいて、新規画像データについて検出された局所構造の一部または全部を原発部位ＡＬとして参照レポートの検索を行う。また、新規レポートに関連付けされた検査依頼などから想定病名や、既往歴などの疾患名を取得し、原発部位ＡＬと疾患名とから参照レポートを検索する。このように、新規画像の解剖学的位置に対応する局所構造に基づき、転移や併発の可能性のある局所構造を含む参照レポートを確認することにより、転移や併発の見落としを防止することができる。
【０１３２】
図２０は、実施形態に係る読影レポート作成装置の絞り込み条件を入力する画面の第２の表示例を説明する図である。
【０１３３】
図２０（ａ）は、絞り込み条件として、一致度計算条件を変更する方法を示している。図１６および図１８では、代表部位とその一致度が示されていたが、一致度の計算対象と計算方法を絞り込み条件として入力することもできる。その場合、入力部５０から入力された計算条件は、レポート検索部３６を介して、一致度算出部３４に入力され、入力された条件に応じた一致度が算出される。図２０（ａ）の例では、ボタンＢ２を押下することで、一致度計算条件がプルダウンで表示される。条件１として「キー画像の最近傍ＡＬ」が選択され、条件２として「距離」が選択される例が示されている。また、「距離」以外の選択肢として、プルダウンメニューに一致有無、一致数、一致割合などが示されている。またボタンＢ３を押下することで、そのほかの条件（たとえば、その他の計算条件や、重みづけなどの条件）を追加することができてもよい。また、計算条件は何度も変更することが可能である。計算条件が変更されるたびに一致度算出部３４で一致度が再算出されてもよいし、一致度算出実行ボタンなどを画面に設け、ボタンの押下により一致度の算出処理が実行されてもよい。
【０１３４】
図２０（ａ）の下部には、さらに、一致度の上限値を入力する欄が示されている。図２０（ａ）の下部の入力ボックスには「０．８」が入力され、その横に示した「以上」のラジオボタンが選択され、一致度の上限値として、「０．８以上」が指定されている。このように、一致度の上限値を設定することで、一致度について設定された上限値に応じて参照レポートを絞り込むことができる。一致度が設定された上限値より小さい参照レポートは、検索結果表示に表示されなくなる。
【０１３５】
図２０（ｂ）は、一致度計算条件に「距離」が選択された場合、距離の算出方法を選択する方法を示している。複数の距離の組み合わせにより一致度が算出されてもよいことから、チェックボックスで複数の距離の算出方法が選択されてもよい。
【０１３６】
図２１は、実施形態に係る読影レポート作成装置１００の第２の表示例を説明する図である。図１６および図１８では、表形式の参照レポートの検索結果表示の例を示したが、図２１は、それぞれの参照レポートを示すアイコンを表示する例を示している。図２１には、参照レポート選択画面Ｗ１が示され、それぞれの参照レポートを示すアイコンの中から、所望のアイコンをマウスなどを備えた入力部５０から選択することで、選択した参照レポートを開くことができる。図２１の参照レポート選択画面Ｗ１の参照レポート表示Ｄ１は、参照レポートのサムネイル画像を示している。参照レポート画像が複数ページに及ぶ場合は、代表的なページもしくは、第１ページ目のサムネイル画像であってもよい。参照レポートのサムネイル画像には、参照レポートに記載された所見やキー画像が表示されている。
【０１３７】
また、図２１の参照レポート表示Ｄ１には、解剖図Ｄ２が表示されている。解剖図Ｄ２は、人体内の構造物の位置、外観、形状を理解するためのものであって、臓器、部位、器官ごとにイラストまたは写真等で表したものである。解剖図Ｄ２に示された点は、参照レポートのキー画像の最近傍ＡＬまたは、アノテーションの位置を示している。また、解剖図Ｄ２に示された点は、新規画像の解剖学的位置と対応する位置に表示されてもよい。
【０１３８】
図２１の上部には、絞り込み条件を入力するためのプルダウンメニューが表示されている。これらのプルダウンメニューによる絞込みだけでなく、新規画像の解剖学的位置を表示した解剖図により、参照レポートの絞り込みが行えてもよい。たとえば、表示部４０に新規画像の解剖学的位置を表示した解剖図と参照レポート選択画面Ｗ１とを併せて表示し、新規画像の解剖学的位置を選択することで、対応する参照レポートが絞り込まれてもよい。
【０１３９】
図２１の例では、解剖図への解剖学的位置の表示により、視覚的に参照レポートを選択することができる。また、解剖図の表示により直観的な操作による参照レポートの絞り込みが可能となる。
【０１４０】
図２２は、実施形態に係る読影レポート作成装置１００の参考情報表示の表示例を説明する図である。参考情報表示は、解剖学的位置に基づき、参考情報表示生成部３７で生成される。
【０１４１】
図２２には図２１の参照レポート表示Ｄ１に解剖図Ｄ２が表示された参照レポートのアイコンが示されている。図２２は、解剖図Ｄ２上の点を選択することで、その点に対応する局所構造や、その局所構造に関する参考図書や参考文献、医学情報、症例情報、インターネットなどの検索結果が表示される例を示している。
【０１４２】
解剖図Ｄ２上の点を選択すると、図２２の矢印の右側に示した表示がポップアップ表示される。ポップアップ表示中の「表示」ボタンを押下することで、その局所構造に関する参考図書などが表示され、その局所構造に関する症例などを表示してもよいし、解剖学辞典から該当の解剖学的位置または部位の解説などを表示してもよい。このような参考図書などは、読影レポート作成装置１００の記憶部２０に格納されていてもよいし、外部記憶装置からダウンロードされてもよく、外部記憶装置を直接参照してもよい。また、その局所構造についてインターネットで検索された検索結果を表示してもよい。このように、局所構造について調べられることにより、読影医などのユーザは様々な情報を読影レポート作成装置１００から取得することができる。
【０１４３】
このように、読影レポートを新規作成する際に参考となる読影レポートを、新規画像データの解剖学的位置を用いて検索を行うことにより、より精度の高い検索が可能となる。また、新規画像に特定されたキー画像の近傍に位置する解剖学的位置を用いて、参照レポートを検索することも可能であり、新規作成する読影レポートとより近い条件の読影レポートを参照することが可能となる。したがって、参照レポートの多くの部分を新規レポートに流用することができ、より効率のよい読影レポートの作成が可能となる。さらに、解剖学的位置を用いることで、転移や併発部位に関係する参照レポートの検索を漏れなく実施することができ、見落としを防止することができる。
【０１４４】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１４５】
１００  読影レポート作成装置
２００  医用画像一元管理サーバ
３００  モダリティ装置
４００  ＨＩＳ／ＲＩＳ
５００  読影レポートサーバ
１０  通信制御装置
２０  記憶部
３０  主制御部
４０  表示部
５０  入力部
２１  医用画像記憶部
２３  読影レポート情報記憶部
３１  レポート作成部
３２  解剖学的位置検出部
３３  参照レポート情報生成部
３４  一致度算出部
３５  距離算出部
３６  レポート検索部
３７  参考情報生成部
【図１】
2015191561.tif 000007
【図２】
2015191561.tif 000008
【図３】
2015191561.tif 000009
【図４】
2015191561.tif 000010
【図５】
2015191561.tif 000011
【図６】
2015191561.tif 000012
【図７】
2015191561.tif 000013
【図８】
2015191561.tif 000014
【図９】
2015191561.tif 000015
【図１０】
2015191561.tif 000016
【図１１】
2015191561.tif 000017
【図１２】
2015191561.tif 000018
【図１３】
2015191561.tif 000019
【図１４】
2015191561.tif 000020
【図１５】
2015191561.tif 000021
【図１６】
2015191561.tif 000022
【図１７】
2015191561.tif 000023
【図１８】
2015191561.tif 000024
【図１９】
2015191561.tif 000025
【図２０】
2015191561.tif 000026
【図２１】
2015191561.tif 000027
【図２２】
2015191561.tif 000028